(57)【要約】      （修正有）【課題】支承装置への作動媒体供給の為のコストが最小限に減少されるものを提供する。特に真空装置において使用可能である。【解決手段】互いに可動な部材のガイドに使用される少なくとも一つの支承装置８４に作動媒体１８を供給するための方法であって、作動媒体１８が、作動媒体リザーバー２０から第一のバルブ装置Ｉを介して、その下に配置された少なくとも一つの密閉された容器２２内へと導かれ、密閉された容器２２は搬送チャネル２４を介して支承装置８４と接続されており、密閉された容器２２から搬送チャネル２４を介して、容器２２に供給されるガスまたは周囲空気と、負圧である搬送チャネル２４の支承部側の開口領域２６の間の差圧に促進されて、支承装置８４に作動媒体１８を供給する。密閉された容器２２に第二のバルブ装置ＩＩを介して、外部から付勢されるガス及び／又は周囲空気が供給される。【選択図】図１
2015200407.tif 000002
【特許請求の範囲】
【請求項１】
互いに可動な部材のガイドに使用される少なくとも一つの支承装置（８４）に作動媒体（１８）、特に潤滑媒体を供給するための方法であって、作動媒体（１８）が、作動媒体リザーバー（２０）から第一のバルブ装置（Ｉ）を介して、その下に配置された少なくとも一つの密閉された容器内へと導かれ、密閉された容器（２２）は搬送チャネル（２４）を介して支承装置（８４）と接続されており、そして、密閉された容器（２２）から搬送チャネル（２４）を介して、容器（２２）に供給されるガスまたは周囲空気と、特に、負圧である、搬送チャネル（２４）の支承部側の開口領域（２６）の間の差圧に促進されて、支承装置（８４）に作動媒体（１８）を供給するために、密閉された容器（２２）に第二のバルブ装置（ＩＩ）を介して、外部から付勢されるガス及び／又は周囲空気が供給されることを特徴とする方法。
【請求項２】
作動媒体（１８）が、特にポンプ、特に真空ポンプのような負圧下にある装置（２８）に供給されることを特徴とする請求項１に記載の方法。
【請求項３】
支承装置（８４）に供給される作動媒体流が、密閉された容器（２２）内へのガス及び／又は周囲空気供給を介して制御及び／又は調整されることを特徴とする請求項１または２に記載の方法。
【請求項４】
密閉された容器（２２）内へのガス及び／又は周囲空気供給がスロットルバルブ（３２）によって調整されることを特徴とする請求項３に記載の方法。
【請求項５】
第一および第二のバルブ装置（Ｉ，ＩＩ）を介して交互に作動媒体（１８）が作動媒体リザーバー（２０）からその下に配置される密閉された容器（２２）内へと導かれ、そして作動媒体（１８）を、密閉された容器（２２）から支承装置（８４）へと搬送するために、
密閉された容器（２２）に外部から付勢されるガス及び／又は周囲空気が供給されることを特徴とする請求項１から４のいずれか一項に記載の方法。
【請求項６】
作動媒体（１８）とガス又は周囲空気が密閉された容器（２２）の内部でメンブラン（１０８）によって互いに分離されることを特徴とする請求項１から４に記載の方法。
【請求項７】
互いに可動な部材のガイドに使用される少なくとも一つの支承装置（８４）に作動媒体（１８）、特に潤滑媒体を供給するためのシステム（１０）であって、一つの作動媒体リザーバー（２０）と、その下に配置された少なくとも一つの密閉された容器（２２）を有し、この容器に、第一のバルブ装置（Ｉ）を介して作動媒体（１８）が作動媒体リザーバー（２０）から供給可能であり、その際、密閉された容器（２２）が、搬送チャネル（２４）を介して支承装置（８４）と接続されており、そして作動媒体（１８）を密閉された容器（２２）から搬送チャネル（２４）を介して、容器（２２）に供給されるガス又は周囲空気と、特に負圧下にある搬送チャネル（２４）の支承部側の開口領域の間の差圧に促進されて、支承装置（８４）へと搬送するために、密閉された容器（２２）が第二のバルブ装置（ＩＩ）を介して外部から付勢されるガス及び／又は周囲空気を供給可能であることを特徴とするシステム。
【請求項８】
支承装置（８４）が、特にポンプ、特に真空ポンプ、好ましくはターボ分子ポンプのような負圧下にある装置（２８）に含まれていることを特徴とする請求項７に記載のシステム。
【請求項９】
支承装置（８４）が、真空ポンプ内、特にターボ分子ポンプ内に統合された少なくとも一つのローラー支承部を有し、このローラー支承部によって、少なくとも一つのポンプ段、特にターボポンプ段のポンプ運転中に回転する部材を担持し、そして駆動部（１０４）によって回転させられることが可能であるローター軸（１２）が回転可能に支承されていることを特徴とする請求項７または８に記載のシステム。
【請求項１０】
支承装置（８４）に供給される作動媒体流が、密閉された容器（２２）内へのガス及び／又は周囲空気供給を介して制御可能及び／又は調整可能であり、その際、特に、密閉された容器（２２）内へのガス及び／又は周囲空気供給が、スロットルバルブ（３２）を介して調整可能であることを特徴とする請求項７から９のいずれか一項に記載のシステム。
【請求項１１】
交互に、作動媒体（１８）が、作動媒体リザーバー（２０）から、その下に配置された密閉された容器（２２）内へ移送され、そして、作動媒体（１８）を密閉された容器（２２）から支承装置（８４）へと搬送するために、密閉された容器（２２）に外部から付勢されるガス及び／又は周囲空気が供給されるよう、第一および第二のバルブ装置（Ｉ，ＩＩ）が制御装置（３０）を介して駆動可能であることを特徴とする請求項７から１０のいずれか一項に記載のシステム。
【請求項１２】
密閉された容器（２２）の内部に、一つのメンブラン（１０８）が設けられており、このメンブランを介して作動媒体（１８）とガスまたは周囲空気が互いに分離されていることを特徴とする請求項７から１０のいずれか一項に記載のシステム。
【請求項１３】
密閉された容器（２２）の、ガスまたは周囲空気によって付勢されることが可能である領域が、特に調整可能なスロットルバルブ（１１０）を介して負圧にさらされることが可能であることを特徴とする請求項７から１２のいずれか一項に記載のシステム。
【請求項１４】
搬送チャネル（２４）に、一つの逆止弁（１１２）が付設されていること、及び／又は密閉された容器（２２）に少なくとも一つの充填状態センサーが付設されていることを特徴とする請求項７から１３のいずれか一項に記載のシステム。
【請求項１５】
真空ポンプ、特にターボ分子ポンプであって、少なくとも一つのポンプ段、特にターボポンプ段のポンプ運転中に回転する部材を担持し、そして駆動部（１０４）によって回転させられることが可能であるローター軸（１２）を有し、このローター軸が、少なくとも一つのローラー支承部（８４）を有する支承装置によって回転可能に支承されており、その際、支承装置に作動媒体（１８）、特に潤滑媒体を供給する為に、請求項７から１４のいずれか一項に記載のシステムが設けられていることを特徴とする真空ポンプ。
【発明の詳細な説明】
【技術分野】
【０００１】
本発明は、互いに可動な部材のガイドに使用される少なくとも一つの支承装置に作動媒体、特に潤滑媒体を供給するための方法およびシステムに関する。
【背景技術】
【０００２】
特に真空ポンプのようなポンプの例えばローターの支承部は、非接触式のアクティブマグネット支承部を例外として潤滑される必要がある。その際、作動媒体による能動的な潤滑は、受動的なグリース（油脂）式の長期潤滑に対して有利であることが示された。
【０００３】
その様な支承部の運転媒体又は潤滑媒体の搬送は、従来は、例えば渦巻き軸（独語：Ｓｃｈｎｅｃｋｅｎｗｅｌｌｅ）または回転する潤滑媒体ポンプのようなアクティブ式のポンプを使って行われている。これは比較的高コストである。
【先行技術文献】
【特許文献】
【０００４】
【特許文献１】独国特許出願公開第３３１５７４８Ａ１号明細書
【特許文献２】独国特許出願公開第６９４３３０６５号明細書
【特許文献３】独国特許出願公開第２１３８１５２Ａ号明細書
【特許文献４】米国特許出願公開第４１５７１３２Ａ号明細書
【発明の概要】
【発明が解決しようとする課題】
【０００５】
よって本発明の課題は、冒頭に記載した形式の方法およびシステムであって、支承装置への可能な限り理想的な作動媒体供給の為のコストが最小限に減少されるものを提供することである。その際、この方法およびこのシステムは特に負圧下にある装置において、特に真空装置において使用可能であるべきである。
【０００６】
「負圧」の概念は、一般的に、周囲圧、つまりこの領域の周囲の圧力よりも低い、ある領域における圧力であると解される。周囲圧は、特に、各箇所におよんでいる、大気圧、つまり、大気または周囲空気の空気圧である。特に、以下で例えばポンプや真空ポンプのような装置について話すとき、「負圧」とは、装置がその時に存在するその箇所における大気圧よりも低い圧力を意味する。例えば装置が、そこでの圧力が既に大気圧よりも低い室内で運転されるとき、該装置に関しての「負圧」は、ここでもまた、該装置を「取り囲む」この空間内の圧力よりも低く、つまり「周囲圧」よりみ低く、このことは、ここでもまた冒頭に記載した定義と変わりない。
【課題を解決するための手段】
【０００７】
この課題は、発明に従い、請求項１に記載の特徴を有する方法および請求項７に記載の特徴を有するシステムによって解決される。本発明に係る方法の好ましい態様、および本発明に係るシステムの好ましい実施形は、下位の請求項に記載されている。
【０００８】
互いに可動な部材のガイドに使用される少なくとも一つの支承装置に作動媒体、特に潤滑媒体を供給するための、本発明に係る方法に従い、作動媒体は、作動媒体リザーバーから第一のバルブ装置を介して、その下に配置された密閉された少なくとも一つの容器内へと導かれ、密閉された容器は、搬送チャネルを介して支承装置と接続され、そして、作動媒体を密閉された容器から搬送チャネルを介して、容器に供給されるガス又は周囲空気と、特に負圧下にある、搬送チャネルの支承部側の開口領域の間の差圧に促進されて支承装置へと搬送するために、密閉された容器には第二のバルブ装置を介して、外部から付勢されるガス及び／又は周囲空気が供給される。
【０００９】
その様な方法は、特に、例えばポンプ、特に真空ポンプのような、負圧下にある装置の支承部の供給の為に好適である。その際、作動媒体の支承装置への搬送の促進の為に、密閉された容器に供給される、外部から付勢されたガスまたは周囲空気と、当該装置の内部の負圧の間の差圧が利用される。空圧的な効果のそのような利用によって、作動媒体の適当な搬送が、能動的なポンプ無しでも保証され、これによって支承装置の供給の為のコストは相応して減少される。
【００１０】
本発明に係る方法の好ましい態様に従い、例えばポンプ、特に真空ポンプのような負圧下にある装置の支承装置に作動媒体が供給される。その際、好ましくは、密閉された容器に供給されるガスまたは周囲空気と、当該装置のハウジングの内部の負圧の間の差圧が、作動媒体供給の促進の為に使用される。
【００１１】
支承装置に供給される作動媒体流は、好ましくは、密閉された容器内へのガス及び／又は周囲空気供給を介して制御及び／又は調整される。その際、密閉された容器内へのガス及び／又は周囲空気供給は、特にスロットルバルブを介して調整されることが可能である。
【００１２】
バルブ装置は、特に、交互に、第一および第二のバルブ装置を介して、作動媒体が作動媒体リザーバーからその下に配置された密閉された容器内へ導かれ、そして作動媒体を密閉された容器から支承装置へと搬送するために、密閉された容器に、外部から付勢されるガス及び／又は周囲空気が供給されるよう操作される、または駆動されることが可能である。
【００１３】
第一および第二のバルブ装置は、つまり交互に開かれ、又は再び閉じられることが可能である。これによって、当該支承装置に作動媒体を周期的に供給されることが保証される。
【００１４】
特に、外部から付勢されるガスが密閉された容器の内部で作動媒体と接触する場合、ガスとして不活性ガスが使用される。
【００１５】
本発明に係る方法の別の有利な形態に従い、作動媒体とガス又は周囲空気は、密閉された容器の内部でメンブランによって互いに分離されている。
【００１６】
その様なメンブランによって、作動媒体とガスまたは周囲空気が、互いに直接接触することが防止される。例えば、波形メンブランまたは平坦メンブランが使用されることが可能である。
【００１７】
その際、特に、作動媒体リザーバーと密閉された容器の間並びに搬送チャネル内に設けられた逆止弁を有するメンブランポンプの形式によるメンブランの付勢が考え得る。密閉された容器内への外部から付勢されるガスまたは周囲空気の供給の為に、最も簡単な場合、一つのバルブが十分である。密閉された容器のガスまたは周囲空気を受け入れる領域は、好ましくは調節可能なスロットルバルブを介して負圧にさらされることが可能である。その際、このスロットルバルブは、特に、常に定義されたガス容量が密閉された容器から出されるよう調整される。この容量は、密閉された容器内に進入する容積流よりも小さい。その際、メンブランのガス側への圧力は高まる。これによって、作動媒体は、搬送チャネルに付設された逆止弁の保持圧力に抗してポンピングされる。第二のバルブ装置のバルブが閉じられるとすぐに、残留圧力は、密閉された容器を負圧と接続するスロットルバルブによって減少される。その際、メンブランのみが、その固有応力によって戻され、及び／又はばね装置によって再び基の位置に戻されることが可能である。メンブランのこの戻り動作または相応する戻りストロークの間、新たに作動媒体が作動媒体リザーバーから密閉された容器内へと吸引され、これはその後次のポンプフェーズの為に使用される。
【００１８】
特に、供給すべき支承装置へのチャネルボリュームが、密閉された容器のボリュームよりも小さく選択されるときも特に有利である。これによって特に、空のチャネルも完全に貫流されることが可能である。
【００１９】
搬送チャネルは、特に上昇するチャネルであることが可能である。密閉された容器は、目的にかなって、下の領域で搬送チャネルと接続されている。上述したように、搬送チャネルに逆止弁が付設されることが可能である。その際、そのような逆止弁は、搬送チャネル内の任意の箇所に設けられることが可能である。しかしその際、これは、目的にかなってその進入領域内に設けられる。
【００２０】
密閉された容器は、複数の支承装置の供給のために、複数の独立した搬送チャネルを介しても異なる支承装置と接続されることが可能である。その際、異なる搬送チャネルには、其々一つの独自の、特に調整可能なスロットルバルブが付設されることが可能である。これによって、容積流は異なるチャネル幾何に依存せず可能な限り均等に、または互いに相対的に所望の比率で保持されることが可能である。支承装置への作動媒体流は、特にここでもまた、二つのバルブ装置またはガス及び／又は周囲空気供給を介して調整可能である。調整は、特に後からも変更されることが可能である。
【００２１】
二つのバルブ装置を介して、特に、支承装置に対する任意の間隔での断続的な作動媒体供給が行われることが可能であり、これによって、過潤滑が効率的に防止されることが可能である。
【００２２】
其々の支承装置は、有利には、複数の密閉された容器を介して交互に作動媒体を供給されることが可能である。そのような複数の密閉された容器の使用は、中断の無い連続的な作動媒体供給を可能とする。これは、密閉された容器が反対に周期動作せられるので、支承装置が常に少なくとも一つの容器により能動的に供給されることが可能であることによる。
【００２３】
特に、密閉された容器の充填状態が少なくとも一つの充填状態センサーによって監視されるときも有利である。そのような充填状態センサーは、特に密閉された容器の充填状態の能動的な制御及び／又は調整の為に使用されることが可能である。
【００２４】
更に、各搬送チャネル内の作動媒体スループット（流量）が少なくとも一つの流量センサーによって監視されるとき有利である。そのような流量センサーは、当該支承装置に供給される作動媒体量の制御及び／又は調整の為に援用されることが可能である。
【００２５】
互いに可動な部材のガイドに使用される少なくとも一つの支承装置に作動媒体、特に潤滑媒体を供給するための発明に係るシステムは、相応して、一つの作動媒体リザーバーと少なくとも一つの、その下に配置された密閉された容器を有する。この容器に、第一のバルブ装置を介して作動媒体が作動媒体リザーバーから供給可能であり、その際、密閉された容器は、搬送チャネルを介して支承装置と接続されており、そして密閉された容器には、第二のバルブ装置を介して、外部から付勢されるガス及び／又は周囲空気が供給可能である。これにより、作動媒体を密閉された容器から搬送チャネルを介して、容器に供給されるガス又は周囲空気と、搬送チャネルの、特に負圧下にある支承部側の開口領域の間の差圧に促進されて、支承装置へと搬送する。
【００２６】
その際、支承装置は、好ましくは特にポンプ、特に真空ポンプのような負圧下にある装置が含まれる。
【００２７】
特に、支承装置は、少なくとも一つの真空ポンプ、特にターボ分子ポンプ内に統合されたローラー支承部を有する。この支承部を介して、少なくとも一つのポンプ段、特にターボポンプ段のポンプ運転中回転する部材を担持し、そして駆動部によって回転させられることが可能なローター軸が回転可能に支承されている。
【００２８】
支承装置に供給される作動媒体流は、好ましくは、密閉された容器内へのガス及び／又は周囲空気供給を介して制御可能及び／又は調整可能である。
【００２９】
好ましくは、密閉された容器内へのガス及び／又は周囲空気供給は、一つのスロットルバルブを介して調整可能である。
【００３０】
好ましくは、第一および第二のバルブ装置は制御装置を介して、作動媒体が交互に、作動媒体リザーバーからその下に配置された密閉された容器内へと移送され、そして作動媒体を密閉された容器から支承装置へと搬送するために、密閉された容器に、外部から付勢されるガス及び／又は周囲空気が供給されるよう制御可能である。
【００３１】
本発明に係るシステムの別の有利な実施形に従い、密閉された容器の内部には、一つのメンブランが設けられている。このメンブランによって、作動媒体およびガス又は周囲空気が互いに分離されている。その際、密閉された容器の、ガスまたは周囲空気によって付勢可能な領域は、好ましくは、特に調整可能なスロットルバルブを介して負圧にさらされることが可能である。メンブランは、例えば波状メンブランまたは平坦メンブランとして形成されていることが可能である。
【００３２】
特に、作動媒体リザーバーと密閉された容器の間並びに搬送チャネル内に設けられた逆止弁を有するメンブランポンプの形式によるメンブランの付勢が考え得る。密閉された容器のガスまたは周囲空気を受け入れる領域は、好ましくは、特に調整可能な一つのスロットルバルブを介して負圧にさらされることが可能である。其々のポンプフェーズに引き続いて、メンブランのみが、その固有応力によって戻り動かされ、及び／又はばね装置によって再び元の位置に戻されることが可能である。
【００３３】
搬送チャネルは、特に上昇するチャネルとして形成されていることが可能である。密閉された容器は、目的にかなって下の領域で搬送チャネルと接続されている。すでに上述したように、搬送チャネルには、特に一つの逆止弁が付設されていることが可能である。
【００３４】
供給すべき支承装置へのチャネルボリュームは、好ましくは、密閉された容器の容積よりも小さい。
【００３５】
複数の支承装置の供給の為に、密閉された容器が、複数の独立した搬送チャネルを介して異なる支承装置と接続されていることが可能である。
【００３６】
バルブ装置は、一つの制御装置を介して、各支承装置に作動媒体が、独立した閉じられた容器を介して交互に供給されるよう駆動可能である。
【００３７】
各搬送チャネルには、目的にかなって、特に調整可能な一つのスロットルバルブが付設されている。代替として、または追加的に、各搬送チャネルには、特に一つの逆止弁も付設されていることが可能である。
【００３８】
作動媒体リザーバーには、好ましくは少なくとも一つの充填状態センサーが付設されている。各搬送チャネルには、特に少なくとも一つの流量センサーが設けられていることも可能である。
【００３９】
第一および第二のバルブ装置は、其々、例えばディスクバルブとして形成されていることが可能である。これらは、例えば、一つの共通なアクチュエータを介して、特に、ばねによる、または鏡によるヒステリシスによって（独語：ｍｉｔ  ｅｉｎｅｒ  ｆｅｄｅｒ−  ｂｚｗ．  ｓｐｉｅｌｇｅｆｕｅｈｒｔｅｎ  Ｈｙｓｔｅｒｅｓｅ）、アクチュエータの各操作によって、まずバルブ装置の一つの閉じ、そしてその後、他方のバルブが開くよう操作可能である。これによって、供給システムの構築が更に簡単となる。アクチュエータの、二つの状態の間の簡単な切替えが、所望の作動媒体供給を保証するのに十分である。
【００４０】
本発明は、更に、真空ポンプ、特にターボ分子ポンプであって、少なくとも一つのポンプ段、特にターボポンプ段のポンプ運転状態で回転する部材を担持し、そして駆動部によって回転されられることが可能である少なくとも一つのローター軸を有し、このローター軸が、少なくとも一つのローラー支承部を有する支承装置によって回転可能に支承されており、その際、支承装置に作動媒体、特に潤滑媒体を供給するために発明に係るシステムを設けられているものに関する。
【００４１】
本発明を以下に図面を参照しつつ実施例に基づき詳細に説明する。
【図面の簡単な説明】
【００４２】
【図１】互いに可動な部材のガイドに使用される支承装置に作動媒体を供給するための本発明に係るシステムの例示的な一つの実施形の簡略図。
【図２】密閉された容器内に配置されたメンブランを有する本発明に係るシステムの例示的な別の一つの実施形の簡略図。
【図３】ローター支承部が回転支承部を有する真空ポンプの一つの例示的実施形の簡略図。供給の為に、本発明に係るシステムを使用可能である。
【発明を実施するための形態】
【００４３】
図１は、本発明に係る方法を実施するのに好適な、互いに可動な部材のガイドに使用される支承装置８４に作動媒体１８、特に潤滑媒体を供給するためのシステム１０の例示的な一つの実施形を図解により示す。
【００４４】
システム１０は、一つの作動媒体リザーバー２０とその下に配置された密閉された少なくとも一つの容器２２を有している。この容器に、第一のバルブ装置Ｉを介して作動媒体１８が作動媒体リザーバー２０から供給可能である。
【００４５】
密閉された容器２２は、下の領域において、特に上昇する搬送チャネル２４を介して支承装置８４と接続されている。密閉された容器２２から搬送チャネル２４を介して、容器２２に供給されるガスまたは周囲空気と、搬送チャネル２４の特に負圧下にある支承部側の開口領域２６の間の差圧に促進されて、作動媒体１８を支承装置８４に供給するために、密閉された容器２２には、第二のバルブ装置ＩＩを介して外部から付勢されるガス及び／又は周囲空気を供給可能である。
【００４６】
その際、支承装置は、負圧下にある装置２８内に含まれている。この装置は、以下に個々に詳細に説明されるように、例えばポンプ、特に真空ポンプであることが可能である。
【００４７】
装置２８は、一つのハウジング７２を有している。このハウジングの中に、特に支承装置８４も含まれており、更に、作動媒体リザーバー２０並びに密閉された容器２２もこのハウジング７２内に配置されていることが可能である。
【００４８】
密閉された容器に第二のバルブ装置ＩＩを介して供給可能な外部から付勢されるガス、又は、容器２２に供給可能な周囲空気は、圧力ｐａを有する一方で、ハウジング７２の内部には、負圧ｐｖとなっている。この負圧は、圧力ｐａよりも低い。つまり差圧（これによって支承装置８４への作動媒体供給が促進される）は、両方の圧力ｐａおよびｐｖの間の差から生じる。
【００４９】
支承装置８４に供給される作動媒体流は、密閉された容器２２内へのガス及び／又は周囲空気供給を介して制御可能及び／又は調整可能である。この為、システム１０は制御装置３０を有していることが可能である。この制御装置を介してバルブ装置Ｉ、ＩＩが適切に駆動可能である。この制御装置３０は、装置２８に付設された制御ユニット１０６（図３も参照）内に統合されていることが可能であり、またはこれから独立して設けられていることも可能である。
【００５０】
密閉された容器２２内へのガス及び／又は周囲空気供給は、特にスロットルバルブ３２を介して所望の方法で調整可能であり得る。本実施例においては、このスロットルバルブ３２はガスまたは周囲空気の流れ方向に関して、第二のバルブ装置ＩＩの後方に配置されている。
【００５１】
第一および第二のバルブ装置Ｉ，ＩＩは、特に、ここでもまた制御装置３０を介して駆動可能であるので、交互に、作動媒体１８は、作動媒体リザーバー２０から、その下に配置された密閉された容器２２内へと移送され、そして、作動媒体１８を密閉された容器２２から支承装置８４へと搬送するために、密閉された容器に外部から付勢されたガス及び／又は周囲空気が供給される。
【００５２】
空のチャネル２４も完全に貫流されることが可能であるように、供給すべき支承装置８４へのチャネル容積は、特に、密閉された容器２２の容積よりも小さいことが可能である。
【００５３】
作動媒体１８の意図しない逆流を防止するために、代替としてまたは追加的に、チャネル２４が任意の箇所に逆止弁を有することが可能である。
【００５４】
システム１０を介して複数の支承装置８４が供給されるべきとき、密閉された容器２２は、複数の独立した搬送チャネル２４を介して異なる支承装置８４と接続されていることが可能である。
【００５５】
各搬送チャネル２４には、特に調整可能な一つのスロットルバルブが付設されていることが可能であるので、容積流は、異なるチャネル幾何に依存せずできる限り同様に、または互いに相対的に所望の比率で保持されることが可能である。
【００５６】
支承装置８４には、作動媒体８４も交互に独立した密閉された容器２２を介して供給されることが可能である。複数の密閉された容器２２を介してのそのような供給は、中断の無い連続的作動媒体供給を可能とする。これは、容器２２が反対向きにサイクル動作されることによって行われる。これによって、供給が常に少なくとも一つの容器２２を介して行われることが保証される。
【００５７】
各密閉された容器２２には、少なくとも一つの充填状態センサーも付設されていることが可能である。これにより各充填状態を監視する。そのような充填状態センサーは、特にここでもまた、制御装置３０と接続されていることが可能である。これにより充填状態を所望の方法で制御及び／又は調整する。
【００５８】
各搬送チャネル２４には、少なくとも一つの流量センサーも付設されていることが可能である。そのような流量センサーも、特にここでもまた、制御装置３０と接続されていることが可能であり、これを介して、支承装置８４に供給される作動媒体量を制御及び／又は調整する。
【００５９】
両方のバルブ装置Ｉ，ＩＩは其々一つのディスクバルブを有していることが可能である。その際、これらディスクバルブは、例えば一つの共通なアクチュエータが付設されていることが可能である。このアクチュエータを介して、バルブ装置は特に、アクチュエータ動作の際に、ばねにより導かれるまたは鏡により導かれるヒステリシスによって、まず、両方のバルブ装置Ｉ，ＩＩＩの一方が閉じ、そして引き続いて他方のバルブ装置が開くよう制御可能であるよう制御可能である。この事は、システム１０の更なる簡易化をもたらす。よって、所望の搬送を成し遂げるために、当該アクチュエータは二つの状態の間のみを切り替えられる必要がある。
【００６０】
外部から付勢されるガスが密閉された容器２２の内部で作動媒体１８と接触する場合、ガスとして不活性ガスが使用されることが可能である。
【００６１】
図１に表された実施形においてスロットルバルブ３２が、密閉された容器２２に供給されるガスまたは周囲空気の流れ方向において、第二のバルブ装置ＩＩの後方に配置されている一方、このスロットルバルブ３２が第二のバルブ装置ＩＩの前方に配置されている実施形も基本的に可能である。
【００６２】
図２は、本発明に係るシステム１０の別の例示的な実施形を示す。この実施形においては、密閉された容器２２の内部に、メンブラン１０８が設けられている。このメンブランを介して、作動媒体１８およびガスまたは周囲空気が互いに分離されている。
【００６３】
密閉された容器２２のガスまたは周囲空気によって付勢可能な領域は、この場合、特に調整可能なスロットルバルブ１１０を介して、ハウジング７２の内部と接続されている。この中は、負圧ｐｖとなっている。これは、ハウジング７２の外側の圧力ｐａよりも低い。
【００６４】
さらに搬送チャネル２４内には一つの逆止弁１１２が設けられている。第一のバルブ装置Ｉもまた、この場合、一つの逆止弁１１４を有している。
【００６５】
メンブラン１０８は、それゆえ、一つのメンブランポンプの形式に従い、搬送チャネル２４内、並びに作動媒体リザーバー２０と密閉された容器２２との間に設けられた逆止弁１１２，１１４によって操作されることが可能である。外部から付勢されるガスまたは周囲空気の密閉された容器２２内への供給の為に、最も簡単には、一つのバルブが十分である。スロットルバルブ１１０は、常に定義されたガス容積流が密閉された容器２２から出るよう調整される。これは、容器２２内に入る容積流よりも小さい。これによってメンブラン１０８のガス側で圧力が上昇し、これによって作動媒体１８は、搬送チャネル２４に付設された逆止弁１１２の保持圧力に対抗して、搬送チャネル２４内へと、そしてこれを介して支承装置８４へとポンピングされる。作動媒体１８から作動媒体リザーバー２０への逆流は、逆止弁１１４によって防止される。第二のバルブ装置ＩＩのバルブが閉じられるとすぐに、残留圧力は密閉された容器２２を負圧ｐｖと接続するスロットルバルブ１１０を介して減少させられる。
【００６６】
メンブラン１０８は、その固有応力（独語：Ｅｉｇｅｎｓｐａｎｎｕｎｇ）のみによって戻り動かされ、及び／又はばね装置によって再びもとの場所へと戻されることが可能である。メンブラン１０８の相応する戻りストロークの間、作動媒体１８は新たに作動媒体リザーバー２０から密閉された容器２２内へと吸入され、これはその後、次のポンプフェーズで使用できるようになる。
【００６７】
この図２に表されたシステムは、特にここでもまた、図１に記載されたシステムと同様に実施されることが可能である。互いに対応する部材は、同じ参照符号が付されている。
【００６８】
既に上述したように、発明に係るシステム１０は、特に支承装置８４に作動媒体供給を行うために設けられていることが可能である。これは、例えば真空ポンプのような装置２８のローター支承部の部材である。
【００６９】
図３内には、そのような真空ポンプの例示的な一つの実施形の簡略図が示されている。そのローター支承部は、回転支承部として形成された支承装置８４を有している。その供給の為に発明に係るシステム１０が使用可能である。
【００７０】
図３に示された真空ポンプは、インレットフランジ６８によって取り囲まれたポンプインレット７０と、ポンプインレット７０におよぶガスを図３に表されていないポンプアウトレットへと搬送するための複数のポンプ段を有する。真空ポンプは、静的な（静止した）ハウジング（７２）を有するステーターと、ハウジング７２内に配置され、回転軸１４を中心として回転可能に支承されたローター軸１２を有するローターを有する。
【００７１】
真空ポンプは、ターボ分子ポンプとして形成されており、そして、互いに直列に接続され、ポンプ効果を発する複数のターボ分子的ポンプ段を有する。このターボ分子的ポンプ段は、ローター軸１２と接続された複数のターボ分子的ローターディスク１６と、軸方向でローターディスク１６の間に配置され、そしてハウジング１２内に固定された複数のターボ分子的ステーターディスク２６を有する。複数のステーターディスクは、スペーサーリング３６によって所望の軸方向間隔で互いに保持されている。ローターディスク１６とステーターディスク２６は、吸い込み領域５０（独語：Ｓｃｈｏｅｐｆｂｅｒｅｉｃｈ）に、矢印５８の方向に向けられた軸方向のポンプ効果を提供する。
【００７２】
真空ポンプは、その上、軸方向で互いに入り込むよう配置され、そしてポンプ効果を発する、互いに直列に接続されたホルベックポンプ段を有する。ホルベックポンプ段のローター側の部材は、ローター軸１２と接続されたローターハブ７４と、ローターハブ７４に固定され、そしてこれによって担持されているシリンダー側面形状のホルベックロータースリーブ７６，７８を有している。これらホルベックロータースリーブは、回転軸１４に同軸な方向に向けられており、そして半径方向で互いに入り込んで接続されている。更に、シリンダー側面形状の二つのホルベックステータースリーブ８０，８２が設けられている。これらホルベックステータースリーブは、同様に回転軸１４に対して同軸な方向に向けられており、そして半径方向で互いに入り込むよう接続されている。ホルベックポンプ段のポンプ効果を有する表面は、其々、各ホルベックロータースリーブ７６，７８とホルベックステータースリーブ８０，８２の半径方向の狭いホルベック間隙を形成しつつ互いに向かい合っている半径方向の側面によって形成されている。その際、ポンプ作用を奏する表面の一方、当該場合においては、ホルベックロータースリーブ７６または７８のそれは滑らかに形成されており、そして、ホルベックステータースリーブ８０，８２の向かい合った側のポンプ作用を奏する表面は、回転軸１４を中心として周回するよう、ねじ線形状に軸方向に推移する溝を有する構造化部を有している。この溝の中を、ローターの回転によってガスが前進（促進）させられ、そしてこれによってポンピングされる。
【００７３】
真空ポンプは、ローターの回転駆動の為の駆動モーター１０４を有している。その回転子はローター軸１２によって形成されている。制御ユニット１０６がモーター１０４の駆動を行う。
【００７４】
ローター軸１２の回転可能な支承は、ポンプアウトレットの領域のローラー支承部として形成された回転支承部８４と、ポンプインレット７０の領域の永久磁石支承部８６によって行われる。
【００７５】
永久磁石支承部８６は、ローター側の支承半部８８とステーター側の支承半部９０を有する。これらは、其々一つのリング積層部（軸方向に互いに積層化された複数の永久磁石リング９２，９４からなる）を有している。その際、マグネットリング９２，９４は半径方向の支承部間隙９６を形成しながら対向し合っている。
【００７６】
マグネット支承部８６内部には、緊急または安全用支承部９８が設けられている。これは、潤滑されないローラー支承部として形成されており、そして真空ポンプの通常運転中は、非接触で空転し、そしてローターがステーターに対して過剰に偏向すると初めて係合するに至り、これによってローターに対する半径方向のストッパーを形成する。このストッパーが、ローター側の構造がステーター側の構造と衝突するのを防止する。
【００７７】
回転支承部８４は、例えば潤滑媒体のような作動媒体を供給される。その際、図３に示されるように、回転支承部８４の領域で、ローター軸１２には、円すい形のスプラッシュナット（独語：Ｓｐｒｉｔｚｍｕｔｔｅｒ）１００が設けられていることが可能である。これは、例えば潤滑媒体のような作動媒体を含ませられている複数の吸収性のディスク１０２を有する作動媒体貯蔵部の少なくとも一つのスキマー（独語：Ａｂｓｔｒｅｉｆｅｒ）と接触している。運転中、作動媒体は毛細管効果によって作動媒体貯蔵部からスキマーを介して回転するスプラッシュナット１００へと伝達される。そして、遠心力の結果、スプラッシュナット１００にそって、スプラッシュナット１００の大きくなる外直径の方向へ、回転支承部８４に向かって搬送される。そこで例えば潤滑機能を発揮する。
【００７８】
本発明に係るシステム１０の制御装置３０は、この真空ポンプの制御ユニット１０６内に統合されているか、またはこれから独立して設けられていることが可能である。発明に係るシステム２を介して作動媒体１８を供給される支承装置８４は、真空ポンプのハウジング７２内に配置されている。このハウジング内は負圧となっている。真空ポンプのこのハウジング７２の内部には、特に作動媒体リザーバー２０と発明に係るシステム１０の密閉された容器２２が設けられていることが可能である。
【符号の説明】
【００７９】
１０    システム
１２    ローター軸
１４    回転軸
１６    ローターディスク
１８    作動媒体
２０    作動媒体リザーバー
２２    密閉された容器
２４    搬送チャネル
２６    支承部側の開口領域
２８    装置
３０    制御装置
３２    スロットルバルブ
３６    スペーサーリング
５０    吸い込み領域
５８    矢印
６８    インレットフランジ
７０    ポンプインレット
７２    ハウジング
７４    ローターハブ
７６，７８    ホルベックロータースリーブ
８０，８２    ホルベックステータースリーブ
８４    支承装置、回転支承部
８６    永久磁石支承部
８８    ローター側の支承半部
９０    ステーター側の支承半部
９２，９４    永久磁石リング
９６    半径方向の間隙
９８    安全用支承部
１００    スプラッシュナット
１０２    吸収性のディスク
１０４    駆動モーター
１０６    制御ユニット
１０８    メンブラン
１１０    スロットルバルブ
１１２    逆止弁
１１４    逆止弁
Ｉ    第一のバルブ装置
ＩＩ    第二のバルブ装置
ｐａ    供給される不活性ガス／周囲空気の圧力
ｐｖ    ハウジングの内部の圧力
【図１】
2015200407.tif 000003
【図２】
2015200407.tif 000004
【図３】
2015200407.tif 000005